(57)【要約】【課題】天井設置型の音声信号出力装置の状態を目視で容易に且つ周囲の環境の美観性を損なうことなく確認できるようにする。【解決手段】音声信号出力装置（１０）は、スピーカユニット（１２）と、音声信号を入力して所定の信号処理を行いスピーカユニット（１２）に出力する制御基板（１３）と、スピーカユニット（１２）および制御基板（１３）を収容した筐体からなる音声信号出力部（１１）と、音声信号出力部（１１）の筐体を天井に接続するための天井接続部（１５）と、音声信号出力部（１１）の筐体の下方に照明器具を取り付けるための照明取付部（１６）と、音声信号出力装置（１０）の動作状態を通知する状態通知部（１４）を備える。状態通知部（１４）は、発光体を有し、音声信号出力装置（１０）の動作状態に応じて、発光体から発光させた光線を所定方向に出射する。【選択図】図１
2015139086.tif 000002
【特許請求の範囲】
【請求項１】
スピーカユニットと、
音声信号を入力して所定の信号処理を行い前記スピーカユニットに出力する制御基板と、
前記スピーカユニットおよび前記制御基板を収容した筐体からなる音声信号出力部と、
該音声信号出力部の筐体を天井に接続するための天井接続部と、
前記音声信号出力部の筐体の下方に照明器具を取り付けるための照明取り付け部とを有する音声信号出力装置であって、
該音声信号出力装置の動作状態を通知する状態通知部を備え、
該状態通知部は、発光体を有し、前記音声信号出力装置の動作状態に応じて、前記発光体から発光させた光線を所定方向に出射することを特徴とする音声信号出力装置。
【請求項２】
請求項１に記載の音声信号出力装置において、
該音声信号出力装置の周囲の照度を感知する照度感知部を有し、
前記状態通知部は、前記照度感知部により感知された周囲の照度に応じて、前記光源の発光輝度を変化させることを特徴とする音声信号出力装置。
【請求項３】
請求項１または２に記載の音声信号出力装置において、
前記所定方向は、前記音声出力部の筐体の側面に対して外側に向いた方向であることを特徴とする音声信号出力装置。
【請求項４】
請求項１または２に記載の音声信号出力装置において、
前記所定の方向は、前記音声信号出力装置を天井に設置した状態で下方に向いた方向であることを特徴とする音声信号出力装置。
【発明の詳細な説明】
【技術分野】
【０００１】
本発明は、音声信号出力装置に関し、より詳細には、天井に設置されている電源コンセントに接続する音声信号出力装置に関する。
【背景技術】
【０００２】
音楽を楽しむための音声信号出力装置（オーディオ装置）として、天井に設置されている電源コンセントに接続可能なスピーカシステムがある。このような音声信号出力装置に関して、例えば非特許文献１に示すような、天井に設置する照明機器（シーリングライト）とオーディオ装置とを一体型に構成したものや、特許文献１、非特許文献２、３に示すような、シーリングライトと天井の間にスピーカシステムを設置するタイプのものが提案されている。
【先行技術文献】
【特許文献】
【０００３】
【特許文献１】特開２００４−３２８６７８号公報
【非特許文献１】NEC Cross Feel、インターネット〈URL：http://www.nelt.co.jp/products/led_sp.html〉
【非特許文献２】パナソニックワイヤレススピーカーシステム SC-LT200/SC-LT205、インターネット〈URL:http://panasonic.jp/compo/lt200/〉
【非特許文献３】オーデリック Sound Zoom Shower、インターネット〈URL：http://www.odelic.co.jp/products/soundzoom/shower/〉
【発明の概要】
【発明が解決しようとする課題】
【０００４】
上記のような天井に設置するスピーカシステムは、その状態（例えば、電源のＯＮ・ＯＦＦ）を通知する為のインジケータを持つ。例えば図１１に示すように、非特許文献３に示されるスピーカシステム１０１は、天井１０４に設置され、その下部にシーリングライト１０３が設置される。
【０００５】
スピーカシステム１０１は、その状態通知のためのインジケータとしてＬＥＤ１０２を本体に備え、これを点灯または点滅させることによってスピーカシステム１０１の現在の状態を通知する。ところが、スピーカシステム１０１の下部に設置されるシーリングライト１０３の幅が、スピーカシステム１０１の幅より大きい場合、ユーザはＬＥＤ１０２を直接視認しづらく、スピーカシステム１０１の状態を確認することが困難である。
また、ＬＥＤ１０２は、点滅乃至点灯の際の輝度が一定であるため、シーリングライト１０３が点灯している場合は相対的に輝度の低いＬＥＤ１０２は視認しづらくなり、一方ではシーリングライト１０３が消灯した暗室などでは、ＬＥＤ１０２の発する光が美観性を損なう可能性がある。
【０００６】
本発明は斯かる事情に鑑みてなされたものであり、天井設置型の音声信号出力装置の現在の状態を通知する為の有効な通知手段を備えた音声信号出力装置を提供することを目的とする。
【課題を解決するための手段】
【０００７】
上記課題を解決するために、本発明の第１の技術手段は、スピーカユニットと、音声信号を入力して所定の信号処理を行い前記スピーカユニットに出力する制御基板と、前記スピーカユニットおよび前記制御基板を収容した筐体からなる音声信号出力部と、該音声信号出力部の筐体を天井に接続するための天井接続部と、前記音声信号出力部の筐体の下方に照明器具を取り付けるための照明取り付け部とを有する音声信号出力装置であって、該音声信号出力装置の動作状態を通知する状態通知部を備え、該状態通知部は、発光体を有し、前記音声信号出力装置の動作状態に応じて、前記発光体から発光させた光線を所定方向に出射することを特徴としたものである。
【０００８】
第２の技術手段は、第１の技術手段において、該音声信号出力装置の周囲の照度を感知する照度感知部を有し、前記状態通知部は、前記照度感知部により感知された周囲の照度に応じて、前記光源の発光輝度を変化させることを特徴としたものである。
【０００９】
第３の技術手段は、第１または第２の技術手段において、前記所定方向が、前記音声出力部の筐体の側面に対して外側に向いた方向であることを特徴としたものである。
【００１０】
第４の技術手段は、第１または第２の技術手段において、前記所定の方向が、前記音声信号出力装置を天井に設置した状態で下方に向いた方向であることを特徴としたものである。
【発明の効果】
【００１１】
本発明によれば、天井設置型の音声信号出力装置の状態を目視で容易に且つ周囲の環境の美観性を損なうことなく確認できる。
【図面の簡単な説明】
【００１２】
【図１】本発明の実施形態に係る音声信号出力装置の構成例を示す図である。
【図２】本発明の実施形態に係る音声信号出力装置の異なる構成例を示す図である。
【図３】図１に示した音声信号出力装置に対するシーリングライトの接続例を示す図である。
【図４】音声信号出力部が備える制御基板の機能ブロックの一例を示す図である。
【図５】音声信号出力装置の状態通知部による照射光の設定例を説明する図である。
【図６】音声信号出力装置の状態通知部による照射光の他の設定例をそれぞれ説明する図である。
【図７】音声信号出力装置の状態通知部による照射光の更に他の設定例を説明する図である。
【図８】図２に示す音声信号出力装置の状態通知部による照射光の設定例を説明する図である。
【図９】本発明の第２の実施形態における音声信号出力部が備える制御基板の機能ブロック図である。
【図１０】本発明の第２の実施形態の変形例における音声信号出力部が備える制御基板の機能ブロック図である。
【図１１】従来の音声信号出力装置の構成例を示す図である。
【発明を実施するための形態】
【００１３】
（第１の実施の形態）
以下、本発明の実施形態について、図面を参照しながら詳細に説明する。
図１は、本発明の実施形態に係る音声信号出力装置の構成例を示す図で、図１（Ａ）は音声信号出力装置を天井に取り付けた状態を示す側面図、図１（Ｂ）は音声信号出力装置の上面図、図１（Ｃ）は音声信号出力装置の底面図である。
本実施の形態に係る音声信号出力装置１０は、スピーカユニット１２および制御基板１３を内部に格納した筐体からなる音声信号出力部１１と、音声信号出力装置１０の動作状態を通知するために音声信号出力部１１の筐体に取り付けられる状態通知部１４と、天井１７に設置されたコンセントに音声信号出力部１１を固定して電源供給を受ける天井接続部１５と、シーリングライトなど天井設置型の照明器具（図示せず）を音声信号出力部１１に取り付ける照明取付部１６とを有する。
【００１４】
図２は、本発明の実施形態に係る音声信号出力装置の異なる構成例を示す図で、図２（Ａ）は音声信号出力装置を天井に取り付けた状態を示す側面図、図２（Ｂ）は音声信号出力装置の上面図、図２（Ｃ）は音声信号出力装置の底面図である。
図２に示す音声信号出力装置１０は、その基本的構成は図１に示したものと同等であり、図１と同様の機能を有する部分には図１と同じ符号を付している。すなわち、音声信号出力装置１０は、スピーカユニット１２および制御基板１３を内部に格納した筐体からなる音声信号出力部１１と、音声信号出力装置１０の動作状態を通知するために音声信号出力部１１の筐体に取り付けられる状態通知部１４と、天井１７に設置されたコンセントに音声信号出力部１１を固定して電源供給を受ける天井接続部１５と、シーリングライトなど天井設置型の照明器具（図示せず）を音声信号出力部１１に取り付ける照明取付部１６とを有する。
【００１５】
音声信号出力部１１を構成する筐体は、図１の構成では水平方向に細長い矩形形状を備え、スピーカユニット１２の放音方向が下方に向いているが、本例の図２の構成では、音声信号出力部１１を構成する筐体は、水平方向の大きさが小さくなるとともに高さ方向の大きさが大きくなって、スピーカユニット１２の放音方向が水平方向側方を向くように構成されている。
【００１６】
図３は、図１に示した音声信号出力装置１０に対するシーリングライトの接続例を示す図である。シーリングライト２１は、直接に、もしくは接続アダプター２２を介して音声信号出力装置１０の照明取付部１６に接続される。
【００１７】
次に制御基板１３の詳細を説明する。図４は、音声信号出力部１１が備える制御基板１３の機能ブロックの一例を示す図である。制御基板１３は、天井接続部１５によって接続された天井のコンセントから電源部１３１に電源供給を受ける。電源部１３１は、制御部１３２、音声信号入力部１３３、ＤＡＣ（Digital to Analog Converter）１３４、増幅部１３５、および状態通知部１４に電源を供給する。
【００１８】
音声信号入力部１３３には、音声信号出力装置１０から音声出力させるための音声信号が入力される。ここで音声信号の入力手段としては、有線、無線のどちらの伝送経路を使用してもよく、無線を使用する場合は、Ｂｌｕｅｔｏｏｔｈ（登録商標）やＷｉ−Ｆｉ（Ｗｉｒｅｌｅｓｓ  Ｆｉｄｅｌｉｔｙ）（登録商標）等の伝送技術を用いてもよい。本発明に係る実施形態では、音声信号はＢｌｕｅｔｏｏｔｈ（登録商標）を用いた無線接続で取得されるものとし、音声信号はデジタルデータに変換されているものとする。
【００１９】
制御部１３２は、状態通知部１４の点灯・点滅の制御や、増幅部１３５のゲイン制御を行う。音声信号入力部１３３に入力された音声信号には、所定の信号処理が行われてスピーカユニット１２に出力される。すなわち所定の信号処理として、ＤＡＣ１３４は、音声信号入力部１３３から得られる音声信号のデジタルデータをアナログデータに変換する。そして増幅部１３５は、ＤＡＣ１３４で変換されたアナログの音声信号を増幅し、スピーカユニット１２に出力する。
【００２０】
状態通知部１４は、音声信号出力装置１０の動作状態を通知する。具体的には、状態通知部１４は、発光体を備え、動作状態に応じて発光体を発光させて光線を所定方向に出射させる。動作状態とは、例えば音声信号出力装置１０が音声出力可能か否か、つまり音声信号出力装置１０の音声出力機能に関わる電源のＯＮ・ＯＦＦの状態とすることができる。また、発光体１４１は、所定方向に光線を出射させるために指向性を持った発光体であることが望ましい。また、指向性を付与するための光学系を設けてもよい。
【００２１】
図５は、音声信号出力装置の状態通知部による照射光の設定例を説明する図で、図５（Ａ）、図５（Ｂ）はそれぞれ天井に設置した音声信号出力装置の側面図と底面図である。
音声信号出力装置１０の状態通知部１４は、制御基板１３の制御部１３２で点灯・点滅等が制御可能な発光体１４１（例えばＬＥＤやレーザ発光部）によってその機能が実現される。
【００２２】
状態通知部１４は、発光体１４１を備えていて、その発光体１４１から発光させた光線を所定方向に出射させる。本発明に係る実施形態では、光線を出射させる方向は、音声信号出力部１１を構成する筐体の側面に対して少なくとも外側に向いた方向とされる。
この例では図５に示すように、発光体１４１は、音声信号出力装置１０から一定距離離れた天井１７の表面位置に照射光３０が照射されるようにその設置角度が設定されている。
このとき発光体１４１の角度について、例えば照射光３０の視認性を高めるために、シーリングライト２１の照明光が音声信号出力装置１０で遮られて影となる位置に照射光３０が照射されるように調整されるものとしてもよい。これにより、音声信号出力装置１０の利用者は、照射光を識別することで音声信号出力装置１０の動作状態を容易かつ簡単に確認することができる。
【００２３】
図６は、音声信号出力装置の状態通知部による照射光の他の設定例を説明する図である。状態通知部１４による照射光の他の設定例として、図６に示すように、状態通知部１４の発光体１４１による照射光の方向を横方向外側に向け、部屋の垂直な壁１８に照射光３０を照射するようにしてもよい。
【００２４】
図７は、音声信号出力装置の状態通知部による照射光のさらに他の設定例を説明する図である。状態通知部１４による照射光のさらに他の設定例として、図７に示すように、状態通知部１４の発光体１４１による照射光の方向を下方向に向け、部屋の床面１９に照射光３０を照射するようにしてもよい。これにより、音声信号出力装置１０の利用者は、照射光を識別することで音声信号出力装置１０の動作状態を容易かつ簡単に確認することができる。
この他、状態通知部１４による照射光３０の照射位置をユーザが自由に選べるものとしてもよく、例えばリモコンなどを通じてその照射位置をコントロールするものとしてもよい。
【００２５】
なお、本実施形態では説明の簡単の為、状態通知部１４が一つの発光体を有するものとして説明をしたが、状態通知部１４が複数個の発光体を有するものとし、各々の発光体が独立または連携して状態を通知することとしてもよいことは言うまでもない。
【００２６】
図８は、図２に示す音声信号出力装置の状態通知部による照射光の設定例を説明する図で、図８（Ａ）、図８（Ｂ）はそれぞれ天井に設置した音声信号出力装置１０の側面図と底面図である。図２で示した構成例においても、状態通知部１４が有する発光体１４１から照射光３０は、音声信号出力部１１を構成する筐体の側面に対して外側に向けて照射され、音声信号出力装置１０から一定距離離れた天井１７の表面に照射されるようにその角度が調整されているものとする。
【００２７】
ここでは図８に示されている通り、シーリングライト２１に覆い隠される位置に状態通知部１４が設置されている場合は、シーリングライト２１を下方からみたときに、シーリングライト２１の外周より外側に照射光３０の照射位置を設定するものとする。
【００２８】
（第２の実施の形態）
図９は、第２の実施形態における音声信号出力部が備える制御基板の機能ブロック図である。第２の実施形態に係る音声信号出力装置１０は、制御基板１３の内部構成が第１の実施形態と異なり、他の処理部の動作については第１の実施形態と同等であるため、その繰り返しの説明は割愛する。
【００２９】
制御基板１３は、実施形態１と同様の天井接続部１５によって接続された天井のコンセントから電源部１３１に電源供給を受ける。電源部１３１は、制御部１３２、音声信号入力部１３３、ＤＡＣ１３４、増幅部１３５、および状態通知部１４に電源を供給する。
音声信号入力部１３３には、音声信号出力装置１０から音声出力させるための音声信号が入力される。ここで音声信号の入力手段としては、前述の通り、有線、無線のどちらの伝送経路を使用してもよい。本実施形態では、音声信号はＢｌｕｅｔｏｏｔｈ（登録商標）を用いた無線接続で取得されるものとし、音声信号入力部１３３へ受け渡される音声信号はデジタルデータに変換されているものとする。
【００３０】
制御部１３２は、状態通知部１４の点灯・点滅の制御や照度感知部１３６に基づく輝度の調整と、増幅部１３５のゲイン制御を行う。ＤＡＣ１３４は、音声信号入力部１３３から得られる音声信号のデジタルデータをアナログデータに変換する。増幅部１３５は、ＤＡＣ１３４で変換されたアナログの音声信号を増幅し、スピーカユニット１２に出力する。
【００３１】
照度感知部１３６は、音声信号出力装置１０の周辺環境の明るさである照度を感知し、その結果を制御部１３２に通知する。照度感知部１３６には、装置周辺の外光の照度を感知する照度センサを用いることができる。また、他の例として、分光放射輝度センサを備えてもよい。照度センサは、外光の照度を測定し、その測定結果を含む測定信号を制御部１３２に出力する。
【００３２】
制御部１３２は、音声信号出力装置１０の周囲の照度に応じて状態通知部１４の発光体の発光輝度を変化させる。具体的には、予め設定されている１つ以上の閾値に基づき、状態通知部１４の輝度を決定する。即ち、状態通知部１４に用いられる発光体の最大輝度をＢｍａｘ、周辺環境の明るさをＬ、および予め設定されている閾値をＴＨ１、ＴＨ２（ただしＴＨ１＜ＴＨ２）とするとき、以下のような判定基準で状態通知部１４の輝度Ｂを決定する。
【００３３】
Ｂ＝α＊Ｂｍａｘ  （Ｌ＜ＴＨ１）
Ｂ＝β＊Ｂｍａｘ  （ＴＨ１≦Ｌ＜ＴＨ２）
Ｂ＝γ＊Ｂｍａｘ  （Ｌ≧ＴＨ２）
ここで、α、β、γはあらかじめ設定される任意の係数である（ただし、α＜β＜γ）。この制御により、制御部１３２は、音声信号出力装置１０の周囲の明るさが明るくなるほど、状態通知部１４の発光体の輝度を段階的に増大させる。これにより周囲環境の明るさに応じて状態通知部１４の発光輝度を適切に制御することができる。
【００３４】
図１０は、第２の実施形態の変形例における音声信号出力部が備える制御基板の機能ブロック図である。図１０の変形例では、第２の実施形態の構成において、音声信号入力部１３３に入力した音声信号に対してデジタルフィルタを適用する。デジタルフィルタを適用する部分の他の処理部の動作については上記第２の実施形態と同等であるため、その繰り返しの説明は割愛する。
【００３５】
音声信号入力部１３３には、音声信号出力装置１０から音声出力させるための音声信号が入力される。ここで本変形例においては、制御部１３２は、状態通知部１４の点灯・点滅の制御や照度感知部１３６に基づく輝度の調整と、増幅部１３５のゲイン制御を行い、さらに音声信号入力部１３３から受け取った音声信号のデジタルデータに対して、イコライジングを目的としたデジタルフィルタを適用する。ＤＡＣ１３４は、音声信号入力部１３３から得られる音声信号のデジタルデータをアナログデータに変換する。増幅部１３５は、ＤＡＣ１３４で変換されたアナログの音声信号を増幅し、スピーカユニット１２に出力する。そして制御部１３２は、音声信号出力装置１０の周囲の照度に応じて状態通知部１４の発光体の発光輝度を変化させる。
【００３６】
以上説明したように、本発明の音声信号出装置は、スピーカユニットと、音声信号を入力して所定の信号処理を行いスピーカユニットに出力する制御基板と、スピーカユニットおよび制御基板を収容した筐体からなる音声信号出力部と、音声信号出力部の筐体を天井に接続するための天井接続部と、音声信号出力部の筐体の下方に照明器具を取り付けるための照明取り付け部とを有する音声信号出力装置であって、音声信号出力装置の動作状態を通知する状態通知部を備え、状態通知部は、発光体を有し、音声信号出力装置の動作状態に応じて、発光体から発光させた光線を所定方向に出射することを特徴とする。これにより、天井設置型の音声信号出力装置の状態を目視で容易に且つ周囲の環境の美観性を損なうことなく確認できる。
【００３７】
また、本発明の音声信号出力装置は、音声信号出力装置の周囲の照度を感知する照度感知部を有し、状態通知部は、照度感知部により感知された周囲の照度に応じて、光源の発光輝度を変化させることを特徴とする。これにより、これにより周囲環境の明るさに応じて状態通知部の発光輝度を適切に制御することができる。
【００３８】
また、本発明の音声信号出力装置は、上記の所定方向が、音声出力部の筐体の側面に対して外側に向いた方向であることを特徴とする。これにより、音声信号出力装置１０の利用者は、照射光を識別することで音声信号出力装置１０の動作状態を容易かつ簡単に確認することができる。
【００３９】
また、本発明の音声信号出力装置は、上記の所定の方向が、音声信号出力装置を天井に設置した状態で下方に向いた方向であることを特徴とする。これにより、音声信号出力装置１０の利用者は、照射光を識別することで音声信号出力装置１０の動作状態を容易かつ簡単に確認することができる。
【符号の説明】
【００４０】
１０…音声信号出力装置、１１…音声信号出力部、１２…スピーカユニット、１３…制御基板、１４…状態通知部、１５…天井接続部、１６…照明取付部、１７…天井、１８…壁、１９…床面、２１…シーリングライト、２２…接続アダプター、３０…照射光、１０１…スピーカシステム、１０２…ＬＥＤ、１０３…シーリングライト、１０４…天井、１３１…電源部、１３２…制御部、１３３…音声信号入力部、１３４…ＤＡＣ、１３５…増幅部、１３６…照度感知部、１４１…発光体。
【図１】
2015139086.tif 000003
【図２】
2015139086.tif 000004
【図３】
2015139086.tif 000005
【図４】
2015139086.tif 000006
【図５】
2015139086.tif 000007
【図６】
2015139086.tif 000008
【図７】
2015139086.tif 000009
【図８】
2015139086.tif 000010
【図９】
2015139086.tif 000011
【図１０】
2015139086.tif 000012
【図１１】
2015139086.tif 000013